(57)【要約】【課題】座板７を、該最下端スラット３ａに一連状に連結される上座板部８と、該上座板部８に上下動自在に設けられる下座板部９とで構成し、上座板部８に対する下座板部９の上動を受けて障害物検知をするよう構成した建築用シャッター装置１において、前記両座板部８、９の左右各端部には、ガイドレールの案内溝２ａ内に挿入する振れ止め部材１４、延長部材１７がそれぞれ取り付けられたものとして構成し、ガイドレール案内溝２ａ内の障害物を検知できるようにする。【解決手段】  振れ止め部材１４は、延長部材１７よりも左右方向外方に向けて長くなっていて、延長部材１７と共に案内溝２ａに挿入するものであって、該振れ止め部材１４は、延長部材１７が上下方向に出入り自在に嵌入する嵌入部１４ｈと、該嵌入部１４ｈの左右方向外側において前後方向に連結された連結部１４ｉとを備えるものとして構成した。【選択図】図９
2019214851.tif 000002
【特許請求の範囲】
【請求項１】
左右に立設するガイドレールの案内溝に案内されて開閉作動するシャッターカーテンを備え、該シャッターカーテン最下端スラットに設けられる座板を、該最下端スラットに一連状に連結される上座板部と、該上座板部に上下動自在に設けられる下座板部とで構成し、上座板部に対する下座板部の上動を受けて障害物検知をするよう構成した建築用シャッター装置において、
前記両座板部を、左右両端部がガイドレールの案内溝には挿入しない左右長さに設定する一方、
前記上座板部の左右各端部には、ガイドレールの案内溝内に挿入する振れ止め部材が取り付けられ、
前記下座板部の左右各端部には、ガイドレールの案内溝内に挿入する延長部材が取り付けられたものとして構成するにあたり、
前記振れ止め部材は、延長部材よりも左右方向外方に向けて長くなっていて、延長部材と共に該案内溝に挿入するものであって、
該振れ止め部材は、延長部材が上下方向に出入り自在に嵌入する嵌入部と、該嵌入部の左右方向外側において前後方向に連結された連結部とを備えていることを特徴とする建築用シャッター装置。
【請求項２】
前記振れ止め部材の下端縁部と延長部材の上端縁部との間には、隙間が設けられていることを特徴とする請求項１記載の建築用シャッター装置。
【請求項３】
下座板部が上座板部に対して上動した状態では、振れ止め部材の下端縁部と、延長部材の下端縁部とが面一状になることを特徴とする請求項１又は２記載の建築用シャッター装置。
【請求項４】
前記振れ止め部材における嵌入部の下端縁部は、前後方向内側に向いた折り返し部に形成されていることを特徴とする請求項１乃至３の何れか一記載の建築用シャッター装置。
【請求項５】
延長部材には、下座板部の左右方向外端縁を塞ぐ下座板部カバーが一体に形成されていることを特徴とする請求項１乃至４の何れか一記載の建築用シャッター装置。
【請求項６】
前記上座板部の左右方向外端縁部には、該外端縁部を塞ぐ上座板部カバーが設けられ、下座板部カバーには、下座板部が上動するとき上座板部カバーの内側に入り込むよう段差状部が形成されていることを特徴とする請求項５記載の建築用シャッター装置。
【請求項７】
延長部材は、断面凵字状に形成されていることを特徴とする請求項１乃至６の何れか一記載の建築用シャッター装置。
【発明の詳細な説明】
【技術分野】
【０００１】
本発明は、建造物の前後方向に通過可能な出入り口等の開口部に建て付けられる障害物検知手段を備えた建築用シャッター装置の技術分野に関するものである。
【背景技術】
【０００２】
従来、建築用シャッター装置の障害物検知装置として、シャッターカーテンの最下端に上座板部を連結し、該上座板部に対して上下動自在な状態で下座板部を取り付け、該上座板部に対して下座板部が上動することを障害物検知作動とし、これを障害物検知センサが検知をする構成にしたものが提唱されている。
このような障害物検知装置では、該座板の前後幅はガイドレールにおけるレール溝の溝幅よりも幅広であるため、左右幅はシャッターカーテンの左右幅よりも幅狭のものとしてレール溝には入らないよう構成され、レール際やレール溝内における障害物検知をすることが難しい。そこで、下座板部に延長部材を、該下座板部の左右端から左右方向外方に向けて突出した状態で一体的に取り付けることで、延長部材がレール溝内にまで挿入された状態とし、レール溝内において障害物が該延長部材に当接すると、延長部材と共に下座板部が上動して、検知スイッチを作動させるようにしたものが知られている（例えば、特許文献１参照。）。
そしてこのものでは、上座板部に振れ止め部材が、左右端から左右方向外方に向けて突出した状態で一体的に取り付けられたものとして、該振れ止め部材をレール溝内に挿入された状態としている。この場合に、振れ止め部材の下面を開口させた冂字状のものとして構成し、下座板部の延長部材が障害物に当接して振れ止め部材に対して上動すると、該延長部材が振れ止め部材の開口から振れ止め部材内部に挿入すると共に、延長部材と共に上動した下座板部が障害物検知センサの検知作動をさせるようにしている。
【先行技術文献】
【特許文献】
【０００３】
【特許文献１】特開平１０−１０２９４９号公報
【発明の概要】
【発明が解決しようとする課題】
【０００４】
ところでこのような障害物検知装置において、振れ止め部材は、全閉時、床面に接地することもあるため強度的な点で考慮しなければならないが、前記従来の振れ止め部材は、下端縁を開口した冂字状となるように構成したものであるため強度が弱いものとなってしまい、延長部材やガイドレールと接触すると開口が開いてしまったり、変形したりするという惧れがあり、ここに本発明が解決せんとする課題があった。
【課題を解決するための手段】
【０００５】
本発明は、上記の如き実情に鑑みこれらの課題を解決することを目的として創作されたものであって、請求項１の発明は、左右に立設するガイドレールの案内溝に案内されて開閉作動するシャッターカーテンを備え、該シャッターカーテン最下端スラットに設けられる座板を、該最下端スラットに一連状に連結される上座板部と、該上座板部に上下動自在に設けられる下座板部とで構成し、上座板部に対する下座板部の上動を受けて障害物検知をするよう構成した建築用シャッター装置において、前記両座板部を、左右両端部がガイドレールの案内溝には挿入しない左右長さに設定する一方、前記上座板部の左右各端部には、ガイドレールの案内溝内に挿入する振れ止め部材が取り付けられ、前記下座板部の左右各端部には、ガイドレールの案内溝内に挿入する延長部材が取り付けられたものとして構成するにあたり、前記振れ止め部材は、延長部材よりも左右方向外方に向けて長くなっていて、延長部材と共に該案内溝に挿入するものであって、該振れ止め部材は、延長部材が上下方向に出入り自在に嵌入する嵌入部と、該嵌入部の左右方向外側において前後方向に連結された連結部とを備えていることを特徴とする建築用シャッター装置である。
請求項２の発明は、前記振れ止め部材の下端縁部と延長部材の上端縁部との間には、隙間が設けられていることを特徴とする請求項１記載の建築用シャッター装置である。
請求項３の発明は、下座板部が上座板部に対して上動した状態では、振れ止め部材の下端縁部と、延長部材の下端縁部とが面一状になることを特徴とする請求項１又は２記載の建築用シャッター装置である。
請求項４の発明は、前記振れ止め部材における嵌入部の下端縁部は、前後方向内側に向いた折り返し部に形成されていることを特徴とする請求項１乃至３の何れか一記載の建築用シャッター装置である。
請求項５の発明は、延長部材には、下座板部の左右方向外端縁を塞ぐ下座板部カバーが一体に形成されていることを特徴とする請求項１乃至４の何れか一記載の建築用シャッター装置である。
請求項６の発明は、前記上座板部の左右方向外端縁部には、該外端縁部を塞ぐ上座板部カバーが設けられ、下座板部カバーには、下座板部が上動するとき上座板部カバーの内側に入り込むよう段差状部が形成されていることを特徴とする請求項５記載の建築用シャッター装置である。
請求項７の発明は、延長部材は、断面凵字状に形成されていることを特徴とする請求項１乃至６の何れか一記載の建築用シャッター装置である。
【発明の効果】
【０００６】
請求項１の発明とすることにより、振れ止め部材の強度を十分なものとすることができ、しかも、ガイドレール際やガイドレール案内溝内における障害物検知を確実に行うことができる。
請求項２の発明とすることにより、下座板部や延長部材が障害物に当接して傾斜したような場合であっても、スムーズに上動することができる。
請求項３の発明とすることにより、振れ止め部材と延長部材の下端縁部が面一状となることで、隙間を塞ぐことができ、外観上も優れたものとすることができる。
請求項４の発明とすることにより、折返し片部を形成することで、嵌入部の下端縁部位がガイドレール案内溝内をスムーズに上下動することができる。
請求項５の発明とすることにより、部品点数の削減と作業の効率化を図ることができる。
請求項６の発明とすることにより、上下座板部の左右方向の位置ズレを規制することができるだけでなく、下座板部の上座板部に対する上動をスムーズに案内することができる。
請求項７の発明とすることにより、延長部材の強度を十分なものとすることができる。
【図面の簡単な説明】
【０００７】
【図１】建築用シャッター装置の正面図である。
【図２】座板の正面図である。
【図３】座板の拡大側面図である。
【図４】座板の振れ止め部材部位の拡大正面図である。
【図５】座板の振れ止め部材部位の拡大平面図である。
【図６】（Ａ）（Ｂ）（Ｃ）（Ｄ）は振れ止め部材の左側面図、正面図、右側面図、底面図である。
【図７】（Ａ）（Ｂ）は振れ止め部材の斜視図、展開図である。
【図８】（Ａ）（Ｂ）（Ｃ）（Ｄ）は下座板部カバー及び延長部材の平面図、左側面図、正面図、右側面図である。
【図９】（Ａ）（Ｂ）は下座板部カバー及び延長部材が振れ止め部材に対して上下動する様子を示す斜視図である。
【図１０】（Ａ）（Ｂ）は下座板部カバー及び延長部材が振れ止め部材に対して上下動する様子を示す斜視図である。
【図１１】（Ａ）（Ｂ）（Ｃ）は下座板部カバー及び延長部材が振れ止め部材に対して上動する様子を示す正面図及び側面図である。
【図１２】（Ａ）（Ｂ）は第二の実施の形態における振れ止め部材の斜視図、展開図である。
【図１３】（Ａ）（Ｂ）は第二の実施の形態における下座板部カバー及び延長部材が振れ止め部材に対して上下動する様子を示す斜視図である。
【図１４】（Ａ）（Ｂ）（Ｃ）は参考例における座板の振れ止め部材部位の拡大平面図、正面図、側面図である。
【発明を実施するための形態】
【０００８】
以下、本発明の第一の実施の形態について、図面に基づいて説明する。図面において、１は前後方向に通過可能な開口部の開閉をするため設けられる建築用シャッター装置（建築用開閉装置）であって、該建築用シャッター装置１は、開口部の左右両側に設けられるガイドレール２、該ガイドレール２に上下（昇降）案内移動されることで開口部の開閉をするシャッターカーテン（開閉体）３、開口部の上端部に設けられ、シャッターカーテン３が巻装される巻取りドラム４、巻取りドラム４の正逆駆動をする電動式の開閉機５、開閉機５の駆動制御をする制御部６等の各種の部材装置を備えて構成されること等は何れも従来通りである。尚、前後の方向性についての定義は、開口部を通常に通過する方向を前後方向とし、開口部を基準として手前側を「前」、反対側（向こう側、手先側）を「後」と前後の定義を便宜上しているが、これに限定されないものであることは言うまでもない。
【０００９】
前後シャッターカーテン３の最下端部には、ガイドレール２の案内溝２ａには挿入しない長さに設定される左右方向に長い座板７が設けられるが、該座板７は、シャッターカーテン３の最下端スラット３ａに連結される（設けられる）上座板部８と、該上座板部８に対して上下動自在に設けられる下座板部９と、これら上下座板部８、９間に介装される中間検知部材１０と、上座板部８と中間検知部材１０とのあいだに配される状態で上座板部８に設けられる障害物検知センサ１１とを備えて構成されている。
【００１０】
前記上座板部８は下側（下端縁部）が開口したものであって、天井側の上片部８ａと前後両側の側片部８ｂとを備えた冂形状に形成されるが、そのうちの上片部８ａは、本実施の形態では、上下方向を向いた前後の段差片部８ｃをあいだに介する状態で前後方向中央（中間）部位が高くなった第一上片部８ｄと、該第一上片部８ｄよりも低い状態で前後に配される第二上片部８ｅとを備えた凸形状に形成されるが、第一上片部８ｄの前後方向中央（中間）部位には上方に向けて連結片部８ｆが突設形成されている。そして上座板部８は、連結片部８ｆが最下端スラット３ａに締結金具であるボルト３ｂを介して固定されている。
さらに前記側片部８ｂは、第二上片部８ｅの前後方向外端縁から垂下状に設けられるが、該側片部８ｂの下端部には、前後方向に向けて水平状に突出する水平片部８ｇが突出形成されている。そして該水平片部８ｇのうち、反対側（対向する側）の側片部８ｂ側に向けて延出する部位は、後述するように下座板部９受止め係止するための係止受け部８ｈとなっている。
【００１１】
一方、下座板部９は、上側が開口したものであって、底側の下片部９ａと、該下片部９ａの前後方向両端縁から起立上に設けられる前後の側片部９ｂとを備えることで凹陥状に形成されたものであるが、側片部９ｂは、下片部９ａの前後両端縁部から立設する下側の第一側片部９ｃと、該第一側片部９ｃの上端部から前後方向内側に向くよう形成された段差片部９ｄと、該段差片部９ｄの前後方向内端部から上方に向けて形成された第二側片部９ｅと、該第二側片部９ｅの上端部から前後方向外方に向けて水平状に形成された上片部９ｆとを備えたものとして形成され、本実施の形態においては前後の第一側片部９ｃ間、及び第二側片部９ｅ間に上下方向に続く状態で凹陥状のスペースＳが形成されている。
【００１２】
そして下座板部９は、前記上座板部係止受け部８ｈの前後方向内端に第二側片部９ｅが遊嵌状に（前後方向に間隙（隙間）を存する状態で）内嵌することにより、上片部９ｆが係止受け部８ｈの上面に係止する位置を下限とし、段差片部９ｄが係止受け片８ｈの下面に当接する位置を上限として上下移動自在に構成されているが、該下座板部９は、前後両上片部９ｆが上座板部８の前後両係止受け部８ｈに受止め係止された状態が自然の下動姿勢となっており、これによって上片部９ｆは、上座板部８に対して下座板部９を係止するための係止部を構成している。
【００１３】
そして、シャッターカーテン３が下降している開口部の閉鎖過程において、下座板部９に障害物が下側から当接することで、該下座板部９は上座板部８に対して上動する（持ち上げられる）ことになり、これを受けて中間検知部材１０が揺動して、障害物検知センサ１１が非検知状態から検知状態に切換わる（スイッチ切換えされる）ように設定されている。
【００１４】
次に、座板７の左右方向外端縁部分について説明する。
上座板部８の左右方向外端縁部は、該上座板部８の外端縁部と略同形状（凸形状）をした面部１２ａを有する上座板部カバー１２を取り付けることで塞がれている。該上座板部カバー１２は、面部１２ａから、上座板部８の側片部８ｂの内側に挿入される第一取付片部１２ｂと、該第一取付片部１２ｂの上端から内面側に向けてＬ字状に折曲形成され、第二上片部８ｅの内面側に挿入される第二取付片部１２ｃと、上座板部第一上片部８ｄの下面側に挿入される第三取付片部１２ｄとが左右方向内方に向けて延出形成されている。そして、各取付片部１２ｂ、１２ｃ、１２ｄを上座板部８内に挿入した状態で、第二取付片部１２ｃと上座板部第二上片部８ｅとを螺子１３によって螺子止め固定することで上座板部カバー１２は上座板部８に取り付けられる。
【００１５】
さらに、上座板部８の左右方向外端縁部からは、左右方向外方（ガイドレール２の溝奥側）に向けて突出するように振れ止め部材１４が取り付けられる。
該振れ止め部材１４は、金属製の板材を折曲して形成したものであって、一枚状の板材を、底面部１４ａと、該底面部１４ａの前後両端から上方に延出する一対の側面部１４ｂと、該側面部１４ｂの上端縁から前後方向内方に向いた前後一対の上面部１４ｃとを有するよう折曲形成することで角筒状の筒部１４ｄが形成されたものとなっており、前記上面部１４ｃの内端縁から上方に向けて取付片部１４ｅがさらに折曲形成されているが、さらに一方の取付片部１４ｅの左右方向内側には延長片部１４ｆが面一状に形成されており、該延長片部１４ｆに形成される長孔１４ｇで、前述したボルト３ｂを介して最下端スラット３ａおよび上座板部８の連結片部８ｆに共締めすることで振れ止め材１４は上座板部８に取り付けられている。
しかも底面部１４ａは、左右方向内部位が開口した状態になっていて後述する嵌入部１４ｈが形成され、該嵌入部１４ｈの左右方向外側部位は、前後側面部１４ｂ同士が連結された連結部１４ｉになっている。
なお、側面部１４ｂの嵌入部１４ｈに対応する部位の下端縁部は、前後方向内側に向けて折り返し折曲される折返し片部１４ｊを形成した折曲部１４ｋとなっている。
【００１６】
一方、下座板部９の左右方向外端縁は、側面視凸形状をした面材からなる下座板部カバー１６を取り付けることで塞がれている。該下座板部カバー１６は、下座板部９の上半側を塞ぐ上半部１６ａと下半部側を塞ぐ幅広の下半部１６ｂとを備えて構成されるが、上半部１６ａは、上下方向中間部に段差状部１６ｃを有して、上側の第一上半部１６ａ１、下側の第二上半部１６ａ２で構成されているが、下半部１６ｂと面一状の第二上半部１６ａ２から、該段差状部１６ｃを存して、下半部１６ｂに対して左右方向内側に偏倚した状態の第一上半部１６ａ１となっている。また、下半部１６ｂには、前後方向中央に位置して前後一対の切欠き部１６ｄが形成されており、該切欠き部１６ｄに後述するよう延長部材１７が下側から挿入される構成となっている。
【００１７】
次に、延長部材１７について説明する。延長部材１７は延長部１７ａが左右方向外側に突出するよう形成されるが、該延長部１７ａは、前後一対の側面部１７ｂと底面部１７ｃとを備えることで上面が開口した凵字状に構成されている。そして、側面部１７ｂの左右方向内側端からは、それぞれ前後方向外方に向けてＬ字状に折曲された状態で延出する延出部１７ｄと、該延出部１７ｄからさらに左右方向内方に向けてＬ字状に折曲成形される係止部１７ｅとが形成されている。
そして、延長部材１７は、延長部１７ａの前後側面部１７ｂを下座板部カバー１６の切り欠き部１６ｄに挿入した状態で、延長部材１７の延出部１７ｄの左右方向外側面と下座板部カバー１６の左右方向内側面とを溶着等の固定手段を介して接合することで一体化されている。
【００１８】
このように下座板部カバー１６と一体化された延長部材１７は、係止部１７ｅが下座板部第一側片部９ｃ内に挿入された状態で、該係止部１７ｅと下座板部第一側片部９ｃとをリベット１８によって止め固定することで下座板部カバー１６と延長部材１７は下座板部９に取り付けられる。
【００１９】
次に、座板７に、上座板部８には、上座板部カバー１２と振れ止め部材１４が、下座板部９には、下座板部カバー１６と延長部材１７がそれぞれ取り付けられた状態のシャッターカーテン３について、開閉作動におけるこれら部材の動きについて説明する。
まず、シャッターカーテン３の全開時において、図９（Ａ）、図１０（Ａ）、図１１（Ａ）に示すように、振れ止め部材１４の下端縁部である底面部１４ａと延長部材側面部１７ｂの上端縁部とのあいだは、下座板部９が上座板部８に対して垂下しているため、隙間Ｓ１を存した状態となっている。また、振れ止め部材嵌入部１４ｈの左右長さは、延長部材延長部１７ａの左右長さよりも長いものとして設定されると共に、振れ止め部材１４は、延長部材延長部１７ａと共にガイドレール案内溝２ａ内に挿入されている。
この状態から閉鎖方向へシャッターカーテン３を下降させたとき、延長部材底面部１７ｃに障害物が当接すると、図１１（Ｂ）に示すように、延長部材１７は下座板部９と共に上座板部８に対して上動し始める。このとき、該延長部材の延長部１７ａは、振れ止め部材嵌入部１４ｈ内に嵌入することになると共に、下座板部カバー１６の第一上半部１６ａ１は、段差状部１６ｃによって左右方向内方に偏倚しているため、上座板部カバー１２にガイドされながら、下座板部カバー上半部１６ａは該上座板部カバー面部１２ａの内面に挿入されることになる。
そして、図９（Ｂ）、図１０（Ｂ）、図１１（Ｃ）に示すように、下座板部９が上座板部８に対して上動し終わると、延長部材１７の下端縁部である底面部１７ｃは、振れ止め部材の下端縁部である底面部１４ａ（連結部１４ｉ）と面一状となるように構成されている。
このとき、振れ止め部材１４は床面と当接することになるが、側面部１４ｂの下端縁は折返し片部１４ｊが折曲形成された折曲部１４ｋとなっているため、シャッターカーテン３を上下動させたときに、該下端縁部位がガイドレール案内溝２ａ内で引っ掛かることなくスムーズに上下動することができ、しかも、該下端縁部位の強度を確保することができるように構成されている。
【００２０】
なお、下座板部９が障害物に当接した場合についても、同様に延長部材の延長部１７ａが振れ止め部材１４の内部に進入する。
また、シャッターカーテン３が全閉して下座板部９並びに延長部１７ａが床面に当接した場合も、同様に延長部材の延長部１７ａが振れ止め部材１４の嵌入部ｈに進入し、全閉となったときに延長部材１７の下端縁部である底面部１７ｃは、振れ止め部材の下端縁部である底面部１４ａ（連結部１４ｉ）と面一状となるように構成されている点も同様である。
【００２１】
一方、図９（Ｂ）、図１０（Ｂ）、図１１（Ｃ）に示す全閉状態のシャッターカーテン３が上昇して開放状態となる場合、シャッターカーテン３の上昇に伴って上座板部８が上昇するが（図１１（Ｂ））、下座板部９は上座板部９に対して相対的に下動して、上座板部８に対して垂下した状態となる（図９（Ａ）、図１０（Ａ）、図１１（Ａ））。このとき、延長部材１７は、延長部１７ａが振れ止め部材嵌入部１４ｈから下方向に抜け出ることとなり、振れ止め部材１４の下端縁部である底面部１４ａと延長部材側面部１７ｂの上端縁部とのあいだに隙間Ｓ１を存した状態となる。
このように、延長部材嵌入部１４ｈは、延長部材延長部１７ａが上下方向に出入り自在に嵌入するものとして構成されていて、延長部材１７が振れ止め部材１４に対して上動すると延長部１７ａは上動して振れ止め部材嵌入部１４ｈ内に嵌入し、下動すると延長部材嵌入部１４ｈから抜け出るように構成されている。
【００２２】
叙述のごとく本発明が実施された第一の実施の形態において、振れ止め部材１４は、延長部材１７よりも左右方向外方に向けて長くなっていて、延長部材１７と共にガイドレール案内溝２ａに挿入するものであって、該振れ止め部材１４は、延長部材１７が上下方向に出入り自在に嵌入する嵌入部１４ｈと、該嵌入部１４ｈの左右方向外側において前後方向に連結された連結部１４ｉとを備えている。よって、延長部材１７の左右方向外方に、振れ止め部材連結部１４ｉが備えられているため、延長部材１７が嵌入するべく底面が開口した嵌入部１４ｈが設けられているものでありながら、振れ止め部材１４の強度が十分なものとなる。そして、ガイドレール案内溝２ａ内に振れ止め部材１４と延長部材１７が挿入されることで、ガイドレール際やガイドレール案内溝２ａ内における障害物検知も確実に行うことができる。
【００２３】
また、振れ止め部材１４の下端縁部（底面部１４ａ）と延長部材延長部１７ａの上端縁部との間には、隙間Ｓ１が設けられているため、下座板部９と延長部材１７が障害物に当接して、傾斜した状態で上動したような場合であっても、抵抗にならずにスムーズに延長部材１７が振れ止め部材嵌入部１４ｈ内に進入することができる。
さらに、下座板部９が上座板部８に対して上動した状態では、振れ止め部材１４の底面部１４ａと、延長部材底面部１７ｃとが面一状になるため、前記隙間Ｓ１を塞いだ状態とすることができる。
さらにまた、振れ止め部材嵌入部１４ｈの下端縁部には、前後方向内側に向いた折返し片部１４ｊが形成されており、これによって、シャッターカーテン３を上下動させたときに、該下端縁部位がガイドレール案内溝２ａ内で引っ掛かることなくスムーズに上下動することができ、しかも、該嵌入部１４ｈを含めた振れ止め部材１４の強度を確保することができる。
【００２４】
また、延長部材１７には、下座板部９の左右方向外端縁を塞ぐ下座板部カバー１６が一体に形成されているため、設置時における部品点数を削減することができる。
さらに、前記上座板部８の左右方向外端縁部には、該外端縁部を塞ぐ上座板部カバー１２が設けられ、前記下座板部カバー１６には、下座板部９が上動するとき上座板部カバー１２の内側に入り込むよう段差状部１６ｃが形成されている。これにより、上下座板部８、９の左右方向の位置ズレを規制することができると共に、前記段差状部１６ｃによって下座板部９の上動がスムーズに案内されることになる。
さらにまた、延長部材１７は、閉鎖時に床面に当接したり、障害物に当接したりするものであるため、強度が必要となるが、本実施の形態の延長部材延長部１７ａは、上面が開口した断面凵字状に形成されることにより強度が十分に確保されたものとなっている。
【００２５】
尚、本発明は前記実施の形態に限定されるものでないことは勿論であって、振れ止め部材の形状を図１２、１３に示す第二の実施の形態の振れ止め部材２０のようにすることもできる。
該振れ止め部材２０は、第一の実施の形態と金属製の板材を折曲して形成したものであって、一枚状の板材を、左右外側端面部２０ａと、該左右外側端面部２０ａの前後両端から左右方向内側に延出する一対の側面部２０ｂと、該側面部２０ｂの上端縁から前後方向内方に向いた前後一対の上面部２０ｃと、該上面部２０ｃの内端縁から上方に向けて取付片部２０ｄと、側面部２０ｂの下端縁部は、前後方向内側に向けて折り返される折返し片部２０ｅとが折曲形成されているが、さらに一方の取付片部２０ｄの左右方向内側には長孔２０ｇが形成される延長片部２０ｆが面一状に形成されている。そして、本実施の形態において、左右外端面部２０ａが連結部の役割を果たしている。
このものにおいて、下座板部カバーは第一の実施の形態のものと同様の下座板部カバー１６を用いることができ、延長部材についても同様のものを用いることもできるが、延長部２１ａを左右外側端面部２０ａ位置まで延長させた延長部材２１とすることができる。このようにすることで、ガイドレール案内溝２ａの深い部分まで延長部材２１が挿入されることになって、より深い部分まで障害物検知をすることが可能となる。
【００２６】
また、参考例として示す図１４のように、パイプ式のシャッター装置の座板３０において、同様に上座板部３１、下座板部３２としたものについても、第一の実施の形態の上座板部カバー１２、下座板部カバー１６と延長部材１７を一体化したもの、を用いることができる。一方、このものにおいて、振れ止め部材３３は、嵌入部を備えず、下座板部３２が上座板部３１に対して上動した場合において、延長部１７ａの上端縁部と振れ止め部材３３の底面部３３ａとが対向した状態となるよう構成することができる。
【産業上の利用可能性】
【００２７】
本発明は、建造物の前後方向に通過可能な出入り口等の開口部に建て付けられる障害物検知手段を備えた建築用シャッター装置に利用することができる。
【符号の説明】
【００２８】
１    建築用シャッター装置
２    ガイドレール
２ａ  案内溝
３    シャッターカーテン
３ａ  最下端スラット
７    座板
８    上座板部
９    下座板部
１２    上座板部カバー
１４    振れ止め部材
１４ｈ  嵌入部
１４ｉ  連結部
１４ｊ  折返し片部
１６    下座板部カバー
１６ａ  上半部
１６ｂ  下半部
１６ｃ  段差状部
１７    延長部材
１７ａ  延長部
１７ｂ  側面部
１７ｃ  底面部
【図１】
2019214851.tif 000003
【図２】
2019214851.tif 000004
【図３】
2019214851.tif 000005
【図４】
2019214851.tif 000006
【図５】
2019214851.tif 000007
【図６】
2019214851.tif 000008
【図７】
2019214851.tif 000009
【図８】
2019214851.tif 000010
【図９】
2019214851.tif 000011
【図１０】
2019214851.tif 000012
【図１１】
2019214851.tif 000013
【図１２】
2019214851.tif 000014
【図１３】
2019214851.tif 000015
【図１４】
2019214851.tif 000016